(57)【要約】【課題】より小さな力でワイヤハーネスを取り外すことができ、かつワイヤハーネス用固定具の全体をパネルから取り外すことができるワイヤハーネス用固定具を提供する。【解決手段】ワイヤハーネス用固定具としての配線用クリップ１は、ワイヤハーネス１１をパネル１０に固定する。配線用クリップ１は、ワイヤハーネス１１に取り付けられる取付部２と、パネル１０の孔１０ａに係止する係止部３とを備えている。係止部３は、取付部２から立設した立設片３１と、立設片３１の端部としての先端部３１ａに連なりかつ取付部２に近づくにしたがって立設片３１から離れる方向に傾斜して設けられてパネル１０の孔１０ａに係止する係止片３２と、係止片３２の立設片３１に連なる基端部としての一端部３２ａのうち、取付部２寄りの部分を貫通した貫通孔３５とを備えている。【選択図】図４
2011021710.tif 000002
【特許請求の範囲】
【請求項１】
ワイヤハーネスに取り付けられる取付部と、前記取付部に連なりかつパネルの孔に係止する係止部と、を備え、前記ワイヤハーネスを前記パネルに固定するワイヤハーネス用固定具において、
前記係止部が、
前記取付部から立設した立設片と、
前記立設片の前記取付部から離れた側の端部に連なりかつ前記取付部に近づくにしたがって前記立設片から離れる方向に傾斜して設けられて、前記パネルの前記孔に係止する係止片と、
前記係止片の前記立設片に連なる基端部のうち、前記取付部寄りの部分を貫通した貫通孔と、を備えたことを特徴とするワイヤハーネス用固定具。
【請求項２】
前記係止片の前記基端部が、当該係止片の他の部分よりも肉薄に形成されたことを特徴とする請求項１に記載のワイヤハーネス用固定具。
【発明の詳細な説明】
【技術分野】
【０００１】
本発明は、移動体としての自動車等の車体を構成するパネルにワイヤハーネスを固定するワイヤハーネス用固定具に関する。
【背景技術】
【０００２】
移動体としての自動車等には、各種の電子機器が搭載されている。自動車は、前記電子機器に、バッテリ等の電源等からの電力や制御装置からの制御信号等を伝えるために、ワイヤハーネスを配索している。ワイヤハーネスは、複数の電線と、当該電線の端部等に取り付けられたコネクタ等を備えている。
【０００３】
前記電線は、それぞれ、導電性の芯線と、当該芯線を被覆する絶縁性の被覆部とを備えた所謂被覆電線である。コネクタは、前記電線の芯線と電気的に接続した端子金具と、当該端子金具を収容する絶縁性のコネクタハウジングとを備えている。前記コネクタは、電子機器のコネクタとコネクタ結合する。そして、ワイヤハーネスは、電子機器に電力や各種の信号を伝える。
【０００４】
自動車の車体を構成するパネルに前述したワイヤハーネスを固定するために、従来、ワイヤハーネス用固定具（例えば、特許文献１参照）を用いている。このようなワイヤハーネス用固定具は、合成樹脂で構成され、平板状の取付部と、係止部とを一体に備えている。
【０００５】
係止部は、取付部から立設した立設片と、一対の係止片とを一体に備えている。立設片の取付部に連なる基端部側の表面には、当該基端部を破断しやすくするために、Ｖ字状のノッチが形成されている。
【０００６】
係止片は、一端部が立設片の先端部に連なっている。また、一対の係止片の他端部は、互いに間隔をあけているとともに、立設片と間隔をあけている。一対の係止片は、一端部から他端部に向かうにしたがって徐々に取付部に近づくように配されている。一対の係止片は、一端部から他端部に向かうにしたがって互いに徐々に離れているとともに、立設片から徐々に離れている。一対の係止片は、側方から見て、山形に形成されている。一対の係止片は、他端部が互いに近づく方向に弾性変形自在である。
【０００７】
また、係止片の他端部には、切り欠きが設けられている。切り欠きは、係止片の他端部の外縁部を切り欠いている。切り欠きがパネルに設けられた孔の内縁に係止して、係止片がパネルの孔に係止する。
【０００８】
前述したワイヤハーネス用固定具は、取付部にワイヤハーネスの電線を重ね、当該取付部と電線の外周に粘着テープ等が巻き付けられて、ワイヤハーネスに取り付けられる。
【０００９】
そして、一対の係止片がパネルの孔内に挿入される。一対の係止片は、他端部が互いに近づく方向に一旦弾性変形する。その後、一対の係止片の他端部が孔内に進入すると、弾性復元力によって、一対の係止片の他端部が互いに離れる方向に変位する。そして、切り欠きが孔の内縁に接触して係止して、係止部がパネルの孔に係止する。こうして、ワイヤハーネス用固定具は、ワイヤハーネスをパネルに固定する。
【００１０】
前述したワイヤハーネス用固定具でパネルに固定されたワイヤハーネスをパネルから取り外す際には、ワイヤハーネスをパネルから引き剥がすように引っ張る。すると、ワイヤハーネス用固定具の立設片の基端部に形成されたノッチによって前記基端部が破断して、ワイヤハーネスがパネルから取り外される。
【００１１】
前記ノッチが形成されていない場合は、ワイヤハーネスを引っ張って、ワイヤハーネス用固定具をパネルに残した状態で当該ワイヤハーネスに巻き付けられた粘着テープを破断させ、ワイヤハーネスをパネルから取り外している。立設片にノッチを形成することで、粘着テープを破断させる場合と比較して、より小さな力でワイヤハーネスを取り外すことができる。
【先行技術文献】
【特許文献】
【００１２】
【特許文献１】特開平９−２３５４１号公報
【発明の概要】
【発明が解決しようとする課題】
【００１３】
しかしながら、前述のようにワイヤハーネス用固定具の立設片を破断させてワイヤハーネスをパネルから取り外すと、ワイヤハーネス用固定具の係止部がパネル側に残ってしまい、ワイヤハーネス用固定具の全体をパネルから取り外すことができなかった。これによって、例えば自動車の解体時におけるリサイクル性が低下するといった問題があった。
【００１４】
本発明は、このような問題を解決することを目的としている。即ち、本発明は、より小さな力でワイヤハーネスを取り外すことができ、かつワイヤハーネス用固定具の全体をパネルから取り外すことができるワイヤハーネス用固定具を提供することを目的としている。
【課題を解決するための手段】
【００１５】
前記課題を解決し目的を達成するために、請求項１に記載された発明は、ワイヤハーネスに取り付けられる取付部と、前記取付部に連なりかつパネルの孔に係止する係止部と、を備え、前記ワイヤハーネスを前記パネルに固定するワイヤハーネス用固定具において、前記係止部が、前記取付部から立設した立設片と、前記立設片の前記取付部から離れた側の端部に連なりかつ前記取付部に近づくにしたがって前記立設片から離れる方向に傾斜して設けられて、前記パネルの前記孔に係止する係止片と、前記係止片の前記立設片に連なる基端部のうち、前記取付部寄りの部分を貫通した貫通孔と、を備えたことを特徴としたワイヤハーネス用固定具である。
【００１６】
請求項２に記載された発明は、請求項１に記載されたワイヤハーネス用固定具において、前記係止片の前記基端部が、当該係止片の他の部分よりも肉薄に形成されたことを特徴としたワイヤハーネス用固定具である。
【発明の効果】
【００１７】
請求項１に記載された発明によれば、係止片の基端部は、貫通孔によって、取付部寄りの部分が取付部から離れた部分よりも肉薄に形成される。このため、ワイヤハーネスを引っ張ると、係止片の基端部のうちの取付部寄りの部分のみが破断して、係止片は基端部の取付部から離れた部分を中心して反転してめくれ上がり、係止片のパネルの孔への係止が解除される。したがって、ワイヤハーネス用固定具が複数に分離することがなく、ワイヤハーネス用固定具の全体をパネルから確実に取り外すことができる。また、係止片の基端部のうちの肉薄な取付部寄りの部分のみを破断すればよいので、より小さな力でワイヤハーネスをパネルから取り外すことができ、また、取り外す際の作業時間を短縮できる。また、貫通孔を設けることでワイヤハーネス用固定具を構成する材料を低減できるので、ワイヤハーネス用固定具を軽量化でき、製造コストを低減できる。
【００１８】
請求項２に記載された発明によれば、係止片の基端部が肉薄に形成されている。このため、より小さな力で係止片の基端部を破断でき、より小さな力でワイヤハーネスをパネルから取り外すことができる。
【図面の簡単な説明】
【００１９】
【図１】本発明の一実施形態にかかるワイヤハーネス用固定具としての配線用クリップを示す斜視図である。
【図２】図１に示された配線用クリップの要部を拡大して示す下面図である。
【図３】図１に示された配線用クリップの要部を拡大して示す正面図である。
【図４】図１に示された配線用クリップがワイヤハーネスをパネルに取り付けた状態を示す正面図である。
【図５】図４に示された配線用クリップの係止片の基端部としての一端部の一部が破断した状態を示す正面図である。
【図６】図５に示された配線用クリップの係止片がパネルの孔への係止を解除した状態を示す正面図である。
【発明を実施するための形態】
【００２０】
以下、本発明の一実施形態にかかるワイヤハーネス用固定具としての配線用クリップ１を、図１ないし図６を参照して説明する。本発明の一実施形態にかかる図１等に示す配線用クリップ１は、移動体としての自動車に配索されるワイヤハーネス１１（図４等に一点鎖線で示す）を、当該自動車のパネル１０（図４）等に固定するために用いられる。
【００２１】
ワイヤハーネス１１は、複数の電線と、当該電線の端部等に取り付けられたコネクタ等を備えている。電線は、導電性の芯線と、当該芯線を被覆する絶縁性の被覆部とを備えた被覆電線である。コネクタは、導電性の端子金具と、絶縁性のコネクタハウジングとを備えている。端子金具は、電線の芯線と電気的に接続される。コネクタハウジングは、箱状に形成され、内側に端子金具を収容する。ワイヤハーネス１１は、コネクタが各種の電子機器のコネクタとコネクタ結合して、これら電子機器に電力や各種の信号を伝える。
【００２２】
パネル１０は、前記自動車の車体を構成する。パネル１０には、当該パネル１０を貫通した孔１０ａが設けられている。孔１０ａは、平面視正円状に形成されている。
【００２３】
配線用クリップ１は、合成樹脂で構成されている。配線用クリップ１は、図１に示すように、ワイヤハーネス１１に取り付けられる取付部２と、パネル１０の孔１０ａに係止する係止部３と、支持片４とを一体に備えている。
【００２４】
取付部２は、図１に示すように、箱状の本体部２１と、本体部２１に連なるバンド２２とを一体に備えている。本体部２１には、バンド２２を通してこのバンド２２を係止する係止孔２１ａが貫通している。係止孔２１ａの内面には、バンド２２を係止する係止突起が突出している。
【００２５】
バンド２２は、可撓性を有している。バンド２２は、一端部が本体部２１に連なっている。バンド２２は、ワイヤハーネス１１の電線の外周に巻き付けられる。バンド２２の電線の外周から離れた表面には、鋸歯状の複数の係止突起（図示せず）が形成されている。
【００２６】
前述した構成の取付部２は、電線の外周に巻き付けられたバンド２２の他端部側が本体部２１の係止孔２１ａに挿通され、バンド２２が電線を締め付けた状態で係止孔２１ａ内に係止して、ワイヤハーネス１１に取り付けられる。その後、係止孔２１ａ内から突出したバンド２２の他端部は、適宜切断される。図示例では、この切断を施したバンド２２を示している。
【００２７】
係止部３は、取付部２の本体部２１に連なっている。係止部３は、図１に示すように、取付部２から立設した立設片３１と、一対の係止片３２とを一体に備えている。立設片３１は、角柱状に形成されている。立設片３１は、本体部２１のバンド２２から離れた側の表面から立設して、取付部２から立設している。立設片３１は、本体部２１の前記表面に直交する方向に沿って立設している。
【００２８】
一対の係止片３２は、一端部（基端部）３２ａが立設片３１の取付部２から離れた先端部３１ａに連なっている。この先端部３１ａは、立設片３１の取付部２から離れた側の端部をなしている。また、一対の係止片３２の他端部３２ｂ（先端部）は、互いに間隔をあけているとともに、立設片３１と間隔をあけている。
【００２９】
そして、一対の係止片３２は、一端部３２ａから他端部３２ｂに向かうにしたがって徐々に取付部２に近づくように配されている。一対の係止片３２は、一端部３２ａから他端部３２ｂに向かうにしたがって互いに徐々に離れているとともに、立設片３１から徐々に離れている。一対の係止片３２は、側方から見て、山形に形成されている。一対の係止片３２は、他端部３２ｂが互いに近づく方向に弾性変形自在である。
【００３０】
前述した係止片３２の一端部３２ａは、図２に示すように、スリット３３によって、係止片３２の他の部分よりも肉薄に形成されている。スリット３３は、各係止片３２の表面３２ｃ、３２ｃ（図２）にそれぞれ設けられ、各係止片３２に一対設けられている。一対のスリット３３は、係止片３２の長手方向において同位置に形成されている。スリット３３は、表面３２ｃ、３２ｃから凹の溝状に形成され、図３に示すように、係止片３２の厚さ方向Ｔ１（後述）全長に亘って形成されている。
【００３１】
さらに、係止片３２の一端部３２ａには、図３に示すように、貫通孔３５が貫通している。貫通孔３５は、平面視長円状に形成されている。貫通孔３５は、係止片３２の幅方向Ｗ（後述）に沿って当該係止片３２の一端部３２ａを貫通している。貫通孔３５は、係止片３２の一端部３２ａのうちの取付部２寄りの部分を貫通している。このため、係止片３２の一端部３２ａは、取付部２寄りの部分（以下、「破断部３６」という）の厚さＴａが、取付部２から離れた部分（以下、「連結部３７」という）の厚さＴｂよりも肉薄に形成されている。
【００３２】
なお、係止片３２の幅方向とは、図１及び図２に矢印Ｗで示す方向を指している。また、係止片３２の厚さ方向とは、矢印Ｗに直交する方向を指しており、係止片３２の一端部３２ａにおける係止片３２の厚さ方向とは、図１及び図３に矢印Ｔ１で示す方向を指している。
【００３３】
また、係止片３２の他端部３２ｂには、階段状の切り欠き３８が設けられている。切り欠き３８は、係止片３２の他端部３２ｂの外縁部を切り欠いている。切り欠き３８がパネル１０の孔１０ａの内縁に係止して、係止片３２が孔１０ａに係止する。
【００３４】
支持片４は、円環状に形成されている。支持片４は、内縁部が立設片３１の取付部２寄りの基端部に連なっている。支持片４は、立設片３１から当該立設片３１の外方向に延びている。支持片４は、内縁部から外縁部に向かうにしたがって徐々に取付部２から離れる方向に、取付部２の表面に対して若干傾いている。
【００３５】
前述した構成の配線用クリップ１は、以下のように、ワイヤハーネス１１をパネル１０に固定する。まず、取付部２の本体部２１にワイヤハーネス１１の電線を重ね、この電線の外周にバンド２２を巻き付ける。そして、バンド２２で電線を締め付けた状態でバンド２２を本体部２１の係止孔２１ａ内に係止し、係止孔２１ａ内から突出したバンド２２の不要部分を適宜切断する。こうして、取付部２がワイヤハーネス１１に取り付けられる。
【００３６】
その後、係止部３をパネル１０の孔１０ａと相対させる。一対の係止片３２の一端部３２ａと立設片３１の先端部３１ａとから、係止部３を孔１０ａ内に挿入していく。すると、係止片３２は、他端部３２ｂが互いに近づく方向に、一旦弾性変形する。その後、一対の係止片３２の他端部３２ｂが孔１０ａ内に進入すると、弾性復元力によって、一対の係止片３２の他端部３２ｂが互いに離れる方向に変位する。
【００３７】
そして、切り欠き３８が孔１０ａの内縁に接触して係止し、係止部３がパネル１０の孔１０ａに係止する。そして、支持片４の外縁部がパネル１０の表面に接触する。こうして、配線用クリップ１は、図４に示すように、ワイヤハーネス１１をパネル１０に固定する。
【００３８】
また、前述したように配線用クリップ１でパネル１０に固定されたワイヤハーネス１１は、以下のように、パネル１０から取り外す。まず、ワイヤハーネス１１を図４中の矢印Ａ方向に引っ張る。すると、係止片３２の肉薄に形成された一端部３２ａに外力が集中して作用する。さらに、この外力は、一端部３２ａのうちより肉薄な破断部３６に集中して作用して、図５に示すように、破断部３６を破断させる。
【００３９】
さらにワイヤハーネス１１を矢印Ａ方向に引っ張ると、図６に示すように、切り欠き３８が孔１０ａの内縁に係止しているので、係止片３２は連結部３７を中心にして反転してめくれ上がり、切り欠き３８の孔１０ａの内縁への係止が解除される。そして、係止部３は、係止片３２が連結部３７を介して立設片３１に連なった状態で、パネル１０の孔１０ａから取り出される。こうして、配線用クリップ１は、係止片３２が立設片３１から離脱することなく、その全体がパネル１０の孔１０ａから取り外される。以上のようにして、ワイヤハーネス１１がパネル１０から取り外される。
【００４０】
本実施形態によれば、係止片３２の一端部３２ａは、貫通孔３５によって、取付部２寄りの破断部３６が、取付部２から離れた連結部３７よりも肉薄に形成される。このため、ワイヤハーネス１１を引っ張ると、係止片３２は破断部３６のみが破断して、係止片３２は連結部３７を中心にして反転してめくれ上がり、係止片３２のパネル１０の孔１０ａへの係止が解除される。
【００４１】
したがって、配線用クリップ１が複数に分離することがなく、配線用クリップ１の全体をパネル１０から確実に取り外すことができる。また、係止片３２の一端部３２ａのうち肉薄な破断部３６のみを破断すればよいので、より小さな力でワイヤハーネス１１をパネル１０から取り外すことができ、また取り外す際の作業時間を短縮できる。また、貫通孔３５を設けることで配線用クリップ１を構成する材料を低減できるので、配線用クリップ１を軽量化でき、製造コストを低減できる。
【００４２】
さらに、係止片３２の一端部３２ａはスリット３３によって肉薄に形成されている。このため、より小さな力で破断部３６を破断でき、より小さな力でワイヤハーネス１１をパネル１０から取り外すことができる。
【００４３】
前述した実施形態においては、取付部２は、バンド２２をワイヤハーネス１１の電線に巻き付けてワイヤハーネスに取り付けられていた。しかしながら本発明では、取付部２はどんな形状であってもよく、例えば平板状に形成されて粘着テープ等を巻き付けてワイヤハーネス１１を取り付けてもよいし、筒状のプロテクタ等であってもよい。
【００４４】
なお、前述した実施形態は本発明の代表的な形態を示したに過ぎず、本発明は、前述した実施形態に限定されるものではない。即ち、本発明の骨子を逸脱しない範囲で種々変形して実施することができる。
【符号の説明】
【００４５】
１    配線用クリップ（ワイヤハーネス用固定具）
２    取付部
３    係止部
１０    パネル
１０ａ    孔
１１    ワイヤハーネス
３１    立設片
３１ａ    先端部（端部）
３２    係止片
３２ａ    一端部（基端部）
３５    貫通孔
【図１】
2011021710.tif 000003
【図２】
2011021710.tif 000004
【図３】
2011021710.tif 000005
【図４】
2011021710.tif 000006
【図５】
2011021710.tif 000007
【図６】
2011021710.tif 000008